(57)【要約】【課題】天板部の表裏及びその周辺に効率よくイオンが吹き付けられた空気を放出することができるテーブル装置を提供する。【解決手段】天板部２と、脚部３とを備えたテーブル装置１であって、前記天板部は、該天板部の裏面側６に開口して設けられた裏面側吸込口２０ａ及び裏面側吹出口２０ｂと、前記天板部の表面側７に開口して設けられた表面側吸込口２１ａ及び表面側吹出口２１ｂと、前記裏面側吸込口及び前記表面側吸込口から取り込んだ空気を前記裏面側吹出口及び前記表面側吹出口へ送風する送風部４４と、前記裏面側吸込口及び前記表面側吸込口から取り込んだ空気にイオンを吹き付けるイオン発生部４３とを備えていることを特徴とする。【選択図】図１
2014221089.tif 000002
【特許請求の範囲】
【請求項１】
天板部と、脚部とを備えたテーブル装置であって、
前記天板部は、該天板部の裏面側に開口して設けられた裏面側吸込口及び裏面側吹出口と、前記天板部の表面側に開口して設けられた表面側吸込口及び表面側吹出口と、前記裏面側吸込口及び前記表面側吸込口から取り込んだ空気を前記裏面側吹出口及び前記表面側吹出口へ送風する送風部と、前記裏面側吸込口及び前記表面側吸込口から取り込んだ空気にイオンを吹き付けるイオン発生部とを備えていることを特徴とするテーブル装置。
【請求項２】
請求項１において、
前記裏面側吸込口及び前記表面側吸込口と、前記裏面側吹出口及び前記表面側吹出口とは、前記天板部内に設けられた１つの空気流通路で連通しており、
前記イオン発生部は、該空気流通路内に設けられていることを特徴とするテーブル装置。
【請求項３】
請求項２において、
前記空気流通路は、前記裏面側吹出口へ通じる第１吹出路と前記表面側吹出口へ通じる第２吹出路とに分岐した分岐部を有しており、
前記イオン発生部は、前記空気流通路の前記分岐部に設けられていることを特徴とするテーブル装置。
【発明の詳細な説明】
【技術分野】
【０００１】
本発明は、天板部と脚部とを備え、テーブル、堀炬燵等として使用できるテーブル装置に関する。
【背景技術】
【０００２】
このようなテーブル装置としては、例えば下記特許文献１や下記特許文献２が挙げられる。
下記特許文献１には、堀炬燵の天板の裏面に空気取り入れ口、天板の周縁に下方に向けて開口した空気吹き出し口を設け、着座前にて臀部の接する床面を暖めることができる掘こたつが開示されている。
下記特許文献２には、電気こたつ内にマイナス粒子発生手段を設け、電気こたつ内のかびや細菌を除菌できるものが開示されている。
【先行技術文献】
【特許文献】
【０００３】
【特許文献１】特開平１０−１６０１６５号公報
【特許文献２】特開２００４−１０１０２５号公報
【発明の概要】
【発明が解決しようとする課題】
【０００４】
ところで近年は、このようなテーブル装置の天板部の表裏及びその周辺を同時に除菌・脱臭する効果が期待できるものが求められている。
しかしながら上記特許文献１に開示されている堀炬燵は、天板に空気取り入れ口及び空気吹き出し口が設けられているものの、天板部の表裏及びその周辺を同時に除菌・脱臭できるものではなかった。また上記特許文献２に開示されている電気こたつは、電気こたつ内は除菌できても、天板の上を除菌できる構成にはなっていないものであった。
【０００５】
本発明は、このような事情を考慮して提案されたもので、天板部の表裏及びその周辺に効率よくイオンが吹き付けられた空気を放出することができるテーブル装置を提供する。
【課題を解決するための手段】
【０００６】
上記目的を達成するために、本発明のテーブル装置は、天板部と、脚部とを備えたテーブル装置であって、前記天板部は、該天板部の裏面側に開口して設けられた裏面側吸込口及び裏面側吹出口と、前記天板部の表面側に開口して設けられた表面側吸込口及び表面側吹出口と、前記裏面側吸込口及び前記表面側吸込口から取り込んだ空気を前記裏面側吹出口及び前記表面側吹出口へ送風する送風部と、前記裏面側吸込口及び前記表面側吸込口から取り込んだ空気にイオンを吹き付けるイオン発生部とを備えていることを特徴とする。
【０００７】
また、本発明において、前記裏面側吸込口及び前記表面側吸込口と、前記裏面側吹出口及び前記表面側吹出口とは、前記天板部内に設けられた１つの空気流通路で連通しており、
前記イオン発生部は、該空気流通路内に設けられているものとしてもよい。
さらに、本発明において、前記空気流通路は、前記裏面側吹出口へ通じる第１吹出路と前記表面側吹出口へ通じる第２吹出路とに分岐した分岐部を有しており、前記イオン発生部は、前記空気流通路の前記分岐部に設けられているものとしてもよい。
【発明の効果】
【０００８】
本発明のテーブル装置によれば、上述の構成としているため、天板部の表裏及びその周辺に効率よくイオンが吹き付けられた空気を放出することができる。
【図面の簡単な説明】
【０００９】
【図１】本発明の一実施形態に係るテーブル装置を模式的に示す概略斜視図である。
【図２】（ａ）は同テーブル装置の天板部の表裏を流通する空気の流れを説明するための模式図であり、（ｂ）は同テーブル装置の空気流通路の構造を説明するための模式図である。
【図３】同テーブル装置の天板部に設けられたイオン発生装置の制御要部を示す基本ブロック図である。
【発明を実施するための形態】
【００１０】
以下に、本発明の実施の形態について、添付図面に基づいて説明する。
本実施形態のテーブル装置１は、天板部２と、脚部３とを備え、天板部２は、天板部２の裏面側６に開口して設けられた裏面側吸込口２０ａ及び裏面側吹出口２０ｂと、天板部２の表面側７に開口して設けられた表面側吸込口２１ａ及び表面側吹出口２１ｂとを備えている。
また天板部２は、送風部４４と、イオン発生部４３とを備えている。送風部４４は、裏面側吸込口２０ａ及び表面側吸込口２１ａから取り込んだ空気を裏面側吹出口２０ｂ及び表面側吹出口２１ｂへ送風する。イオン発生部４３は、裏面側吸込口２０ａ及び表面側吸込口２１ａから取り込んだ空気にイオンを吹き付ける。
以下、詳しく説明する。
なお、以下では天板部２の下部空間を裏面側６、天板部２の上部空間を表面側７として説明する。
【００１１】
テーブル装置１は、一般家庭用のものとしてだけでなく、店舗用のテーブル装置としてもよく、平坦な床に直接置いて使用してもよいし、図例のように掘炬燵のテーブルとして使用してもよい。以下では堀炬燵のテーブルとして用いた例について説明する。
テーブル装置１の天板部２と脚部３の構造、形状等は特に限定されないが、図例のテーブル装置１は、略方形平板状の天板部２と、略角柱状の４本の脚部３とを備えている。天板部２と複数の脚部３とは、一体とされたものであってもよいし、脚部３は天板部２から着脱自在に構成されたものとしてもよい。
【００１２】
堀炬燵部５は、上方に開口部５１を有した略箱状の堀炬燵本体５０と、堀炬燵本体５０の側面や底面を温めるヒータ（不図示）が電気的に接続される電源部５２と、テーブル装置１が設置される枠材５３とを備えている。図中、５０ａは堀炬燵本体５０の側面に設けられる断熱材である。この断熱材は、堀炬燵本体５０の底面にも設けられている。
ヒータの構造、構成は特に限定されないが、フラットなＰＴＣヒータが好適に用いられ、ヒータは天板部２の裏面２ｂに設けるようにしてもよい。またヒータを堀炬燵本体５０の底面にのみ設けるようにしてもよい。
【００１３】
図１に示すように天板部２は、天板部２の裏面側６に開口した裏面側吸込口２０ａ及び裏面側吹出口２０ｂと、天板部２の表面側７に開口した表面側吸込口２１ａ及び表面側吹出口２１ｂとを備えている。これら各吸込口２０ａ，２１ａ及び各吹出口２０ｂ，２１ｂのそれぞれの形状や形成位置は特に限定されないが、図例のものは、天板部２の平面視における略中央領域に間隔を空けて設けられ、開口の形状は略矩形状とされている。このように各吸込口２０ａ，２１ａと各吹出口２０ｂ，２１ｂとは、図例のように間隔を空けて設けられることが望ましい。これによれば、イオンが吹き付けられた空気がすぐに吸込口２０ａ，２１ａから取り込まれてしまうといった空気のショートパス現象を抑制がすることができる。
各吸込口２０ａ，２１ａ及び各吹出口２０ｂ，２１ｂのそれぞれの大きさも図例に限定されるものではないが、図例のものは、裏面側吸込口２０ａ及び表面側吸込口２１ａを裏面側吹出口２０ｂ及び表面側吹出口２１ｂより大きく形成した例を示している。これによれば、天板部２の裏面側６及び表面側７の空気を多く空気流通路４５に取り込むことができ、図２（a）に示すように効率よく空気の循環を行うことができる。
【００１４】
表面側吸込口２１ａ及び表面側吹出口２１ｂは、天板部２の表面側７に開口して設けられ、すなわち天板部２の表面２ａに形成されているため、表面側吸込口２１ａ及び表面側吹出口２１ｂの開口を塞ぎながらも通気可能としたメッシュ部材２２，２２等を嵌め入れるようにしてもよい（図１参照）。これによれば、天板部２を平坦面として使用することができ、表面側吸込口２１ａ及び表面側吹出口２１ｂから物やごみ等が入らないようにすることができる。
また裏面側吸込口２０ａ及び表面側吸込口２１ａの開口部分のそれぞれには、埃やごみ等をとらえることができるようなフィルター（不図示）を設けるようにしてもよい。これによれば、空気流通路４５内への埃やごみ等の侵入を防ぐことができる。
また裏面側吹出口２０ｂ及び表面側吹出口２１ｂには空気の吹き出し方向を調整自在としたルーバー（不図示）を設けるようにしてもよい。
【００１５】
図２(ｂ)は、天板部２に形成された空気流通路４５と各吸込口２０ａ，２１ａ及び各吹出口２０ｂ，２１ｂの構成を説明するための模式図である。ここに示すように裏面側吸込口２０ａ及び表面側吸込口２１ａと、裏面側吹出口２０ｂ及び表面側吹出口２１ｂとは、天板部２内に設けられた１つの空気流通路４５で連通している。空気流通路４５内には、イオン発生部４３と送風部４４とが設けられている。
空気流通路４５は、断面視において略Ｙ字形状よりなり、吸気側通気路４５ａと、裏面側吹出口２０ｂへ通じる第１吹出路４５ｂと、表面側吹出口２１ｂへ通じる第２吹出路４５ｃとを備えている。そして、第１吹出路４５ｂと第２吹出路４５ｃとに分岐した基点を分岐部４５ｄとし、イオン発生部４３はこの分岐部４５ｄに設けられ、第１吹出路４５ｂ及び第２吹出路４５ｃの双方に向けてイオンを放出している。
吸気側通気路４５ａは、裏面側吸込口２０ａ及び表面側吸込口２１ａと連通しており、裏面側吸込口２０ａ及び表面側吸込口２１ａから取り込んだ空気は、この吸気側通気路４５ａを通じて送風部４４と通じるように構成されている。吸気側通気路４５ａは第１吹出路４５ｂ及び第２吹出路４５ｃとの分岐部４５ｄまで直線状に設けられており、その間の分岐部４５ｄの上流側近傍に送風部４４が設けられている。送風部４４の構成は特に限定されないが、モーター回転式のファン等を用いることができる。
空気流通路４５は、吸気側通気路４５ａを経て途中から二股に分岐しており、その先の一方側（図２(ｂ)では下方側）が裏面側吹出口２０ｂへ通じる第１吹出路４５ｂ、その先の他方側（図２(ｂ)では上方側）が表面側吹出口２１ｂへ通じる第２吹出路４５ｃとされている。
【００１６】
イオン発生部４３はイオン発生装置４に組み込まれている。図３は、イオン発生装置４の制御要部を示す基本ブロック図である。イオン発生装置４は、イオン発生部４３、イオン発生部４３によるイオンの発生を制御する制御部４６、タイマー４７、センサーなどで構成された操作検知部４８、イオン電源部４９などを備えている。
イオン発生装置４のイオン発生構造は、公知の構造を用いることができるが、図例のイオン発生部４３は、イオンを発生するイオン化針４３ａ（放電電極）と、高圧発生回路４３ｂと、電位保持部４３ｃとを少なくとも備えた例を示している。イオン電源部４９から電源供給を受けた高圧発生回路４３ｂでイオン化針４３ａにマイナスまたはプラスの高電圧を印加して、電位保持部４３ｃでマイナス電圧またはプラス電圧を発生するように構成することで、マイナスまたはプラスの電荷をもつイオンが発生する。
イオン電源部４９の構成は特に限定されないが、例えば天板部２の裏面２ｂに電源プラグ部を設けるようにしてもよい。
【００１７】
その他のイオン発生構造として、例えば帯電微粒子水を吐出する静電霧化装置を採用してもよい。この静電霧化装置の例の詳細な説明は省略するが、例えば、ピン状の放電電極（霧化電極）と、この放電電極に対向して配置され、放電電極と同軸状の開口を有してリング形状とされた対向電極とを備えたものとしてもよい。そして、これら放電電極と、対向電極との間に高電圧を印加することで放電現象を生じさせ、放電電極に保持された水分を静電霧化させることで、帯電微粒子水を電極間から吐出する構成としてもよい。また、この帯電微粒子水としては、ナノメートルサイズの粒子径のもの（例えば、５ｎｍ〜２０ｎｍ程度）を含む帯電した微粒子液滴で、空気中にミスト状態で浮遊可能なものとしてもよい。
【００１８】
イオン発生部４３は、図２（ｂ）に示すように、Ｙ字形状の空気流通路４５の分岐部４５ｄに設けられ、その上流側に上述の送風部４４が配設されている。よって空気流通路４５の空間のうち、第１吹出路４５ｂと第２吹出路４５ｃとは、イオン発生部４３より発生するイオンの放出路として構成される。送風部４４は、この第１吹出路４５ｂと第２吹出路４５ｃの両方にイオンが吹き付けられた空気が通じるように設けられ、不図示であるが、例えば第１吹出路４５ｂと第２吹出路４５ｃの両方に向けて斜めに傾斜した状態でファンを複数個設けるようにしてもよい。
【００１９】
以上によれば、まず天板部２の裏面側６の空気は裏面側吸込口２０ａから取り込まれ、吸気側通気路４５ａから送風部４４によってイオン発生部４３側へ送り込まれる。一方、天板部２の表面側７の空気は表面側吸込口２１ａから取り込まれ、吸気側通気路４５ａから送風部４４によってイオン発生部４３側へ送り込まれる。
そしてイオン発生部４３で空気にイオンが吹き付けられることにより、空気の除菌、脱臭効果が期待できる。そしてイオンが吹き付けられた空気は、送風部４４によって、第１吹出路４５ｂと第２吹出路４５ｃに送風され、裏面側吹出口２０ｂと表面側吹出口２１ｂとから吹き出される。裏面側吹出口２０ｂから吹き出した空気は、天板部２の裏面側６、すなわちテーブル内空間に行き渡り、表面側吹出口２１ｂから吹き出した空気は、天板部２の表面側７に送風される。
このようにテーブル装置１の天板部２の表裏面２ａ，２ｂ及びその周辺に効率よくイオンが吹き付けられた空気が放出され、空気の循環が繰り返される（図２（ａ）及び図２（ｂ）の白抜矢印方向参照）。
よって、テーブル装置１の天板部の表裏面２ａ，２ｂ及びその周辺に効率よくイオンが吹き付けられた空気を放出することができ、テーブル装置１の足下だけでなく、足下以外の周辺の空気も清潔に保つことができる上、除菌・脱臭効果等を期待することができる。
またテーブル装置１を堀炬燵として使用しないとき、すなわち、テーブル装置１を堀炬燵本体５０内に収納するときでも、イオン電源部４９をオンにしておけば、空気清浄機として使用することができる。
【００２０】
なお、テーブル装置１、天板部２、脚部３、イオン発生部４３、送風部４４、堀炬燵部５等の構成、構造は、上述の例に限定されない。例えば天板部２は円形状でも三角形状でもよいし、脚部３も円柱状でも三角柱状でもよい。また各吸込口２０ａ，２１ａ及び各吹出口２０ｂ，２１ｂの形状は図例の他、例えば円形状、長円形状、三角形状等でもよく、いずれも同じ形状、同じ大きさとしてもよいし、それぞれが異なる形状、異なる大きさであってもよい。各吸込口２０ａ，２１ａ及び各吹出口２０ｂ，２１ｂの形成位置は図例に限定されず、例えば、天板部２の表面２ａ，裏面２ｂのそれぞれの一方端もしくは両端に設けるようにしてもよいし、天板部２の対角線上に設けるようにしてもよい。また天板部２の大きさに応じて複数本の空気流通路４５を設けることで、複数の吸込口及び吹出口を天板部２に設け、天板部２の表裏及びその周辺に効率よくイオンが吹き付けられた空気を放出するようにしてもよい。
【符号の説明】
【００２１】
１          テーブル装置
２          天板部
２０ａ      裏面側吸込口
２０ｂ      裏面側吹出口
２１ａ      表面側吸込口
２１ｂ      表面側吹出口
３          脚部
４３        イオン発生部
４４        送風部
４５        空気流通路
４５ｂ      第１吹出路
４５ｃ      第２吹出路
４５ｄ      分岐部
６          裏面側
７          表面側
【図１】
2014221089.tif 000003
【図２】
2014221089.tif 000004
【図３】
2014221089.tif 000005